(57)【要約】      （修正有）【課題】身体の不自由な人や老人の腰掛け後の起立動作を、極めて安定した状態で簡便且つ安楽に行えるようにすること。【解決手段】一定間隔と一定高さをなした各上端に肘掛けを備えた左右１対の支脚を立設させた基台と、上記基台の支脚間を跨架する腰座２とからなり上記腰座は弾撥部材３で支承させると共に、腰を掛けるさいの重量で垂直方向へ上下動可能ならしめる。このさい、弾撥部材の弾撥力は腰を掛ける人の体重より少ない範囲に設定し、且つ弾撥部材を主、副に分設し、副部材５の弾撥力は主部材のそれと逆向きに作用するものとする。【選択図】図３
2005131091.tif 000002
【特許請求の範囲】
【請求項１】
一定間隔と一定高さをなした各上端に肘掛けを備えた左右１対の支脚を立設させた基台と、上記基台の支脚間を跨架する腰座とからなり上記腰座は弾撥部材で支承させると共に、腰を掛けるさいの重量で垂直方向へ上下動可能ならしめた構成を特徴とする立ち上がり補助椅子。
【請求項２】
弾撥部材の弾撥力は腰を掛ける人の体重より少ない範囲に設定することを特徴とする請求項１記載の立ち上がり補助椅子。
【請求項３】
弾撥部材を主、副に分設し、副部材の弾撥力は主部材のそれと逆向きに作用するものとなすことを特徴とする請求項２記載の立ち上がり補助椅子。
【請求項４】
左右１対の支脚側面部に対し、高さ位置を異ならしめて係止部材を脱着自在に取付け、腰座の上下動範囲が上記係止部材を介して制限されるようになしたことを特徴とする請求項１，２又は３記載の立ち上がり補助椅子。
【発明の詳細な説明】
【技術分野】
【０００１】
本発明は立ち上がりを安楽に行えるようになさしめる補助椅子に関する。
【背景技術】
【０００２】
着座者、特に身体に不自由な人或いは老人の腰掛け後の起立動作を補助するため、その起立補助手段を備えさせるものとなした提案は各種のものがあるが、専ら腰掛け座自体が腰掛け位置から立ち上がり時に前方へ傾斜するようにして補助するものである。
【特許文献１】実公昭６０−５８６６１号公報
【特許文献１】特公昭６１−３４０１号公報
【特許文献１】特許第２５７２９４３号公報
【発明の開示】
【発明が解決しようとする課題】
【０００３】
上記した如き腰掛け座を立ち上がり時に前方へ傾斜させるものでは、腰掛け座を緩徐に前方へ傾斜させる機構や弾撥力の調整が複雑且つ困難であり、しかもこれを単純化した構成にすると着座者が前方へ倒れたりする危険があって、単独での立ち上がりは困難で補助者を必要としたりする問題となる。
【０００４】
本発明は着座者が着座したそのままの姿勢で、即ち水平な腰掛け状態のままで安楽に自立可能にする提案であり、リハビリなどの立ち上がり機能の回復作用も容易に行える構造で簡単で安価な椅子を市販に供せんとするものである。
【課題を解決するための手段】
【０００５】
一定間隔と一定高さをなした各上端に肘掛けを備えた左右１対の支脚を立設させた基台と、上記基台の支脚間を跨架する腰座とからなり上記腰座は弾撥部材で支承させると共に、腰を掛けるさいの重量で垂直方向へ上下動可能ならしめた構成とする。
【０００６】
このさい弾撥部材の弾撥力は腰を掛ける人の体重より少ない範囲に設定したり、弾撥部材は主、副に分設し、副部材の弾撥力は主部材のそれと逆向きに作用するものとなしたりする。
【０００７】
また左右１対の支脚側面部に対し、高さ位置を異ならしめて係止部材を脱着自在に取付け、腰座の上下動範囲を上記係止部材を介して制限されるようになしたりする。
【発明の効果】
【０００８】
着座者は水平な腰掛け状態にあって立ち上がるさいには、両肘掛けを両手で少し押さえるようにするだけで腰座が弾撥材の弾撥力で上方へ持ち上げる作用を呈することから、腰が軽く浮き上がるようになって安楽に立ち上がりができるものとなる。
これに対し、腰を掛けるさいは、椅子の前で肘掛けに両手を置くようにしながら腰を下げれば、腰座が弾撥材の弾撥力の作用下で緩徐に降下するものとなる。
上記に於ける腰座はその上下動範囲を高さ方向の一定範囲で簡便に制限したり、又腰座の受ける弾撥力を副弾撥材の使用で適宜簡便に変更可能にするのである。なお、本発明の椅子は一般的な使用の外に、足腰のリハビリ用として機能訓練用にも著効を奏せしめるものとなる。
【発明を実施するための最良の形態】
【０００９】
一定間隔と一定高さをなした各上端に肘掛けを備えた左右１対の支脚を立設させた基台と、上記基台の支脚間を跨架する腰座とからなり、且つ該腰座には弾撥材による適当な弾撥力が常時上向きに作用するものとなされる。
【実施例１】
【００１０】
図１は本発明に係る立ち上がり補助椅子の基台を示す斜視図、図２は同腰座の斜視図、図３は上記の組立斜視図であって、以下にその構成について説明する。
基台１は左右１対の平行対向する支脚１Ａ，１Ｂからなり、図示例で各支脚１Ａ（１Ｂについては同一構成のため説明を省略する）は前後方向へ一定高さを有する２箇の分割支脚１ａ，１ａを、中央には間隙ｋが形成されるように立設させるものとなし、その上端には肘掛け１ｃが水平方向へ取付けられるものとなしてある。
【００１１】
このさい、１ｄは分割支脚１ａ，１ａを連結した下板であり、また１ｅは上記の如く構成した支脚１Ａ，１Ｂを一定間隔に連結した繋ぎ板である。なお、図面で１ｆは後述する腰座の上下動作用が一定高さ範囲で制限されるようにするさい使用する係止部材の取付け用透孔である。
【００１２】
腰座２は上記の如く構成した基台１に於ける左右１対の支脚１Ａ，１Ｂ間を跨架するようになされるのであり、該腰座２は図２に示す如く腰座の裏面中央付近から横方向の外方へ板材２ａを突出させ、該板材２ａに対し前後箇所の夫々れに垂直なガイド溝ｓを備えた摺動部材２ｂを取付けたものとなしてある。
ここに該摺動部材２ｂは前記基台１に於ける各支脚１Ａ，１Ｂの分割支脚１ａ，１ａ（１ｂ，１ｂ）間ｋに位置させ、夫々れの分割支脚１ａ，１ａ（１ｂ，１ｂ）に於ける片端縁が各ガイド溝ｓにより案内されて垂直な上下方向の摺動が行えるようになされるのである。
【００１３】
図３は上記の構成を図示したものであり、即ち腰座２を基台１の平行対向させた１対の支脚１Ａ，１Ｂ間へ、夫々れ摺動部材２ｂを介し跨架させて組立構成したものであり、このさい腰座２の裏面側と繋ぎ板１ｅとの間には弾撥材としてスプリング３を介在させ、腰座２に対して上方向きの弾撥力が作用するようになされている。なお、図面で４は係止部材用の係止ピンであって分割支脚１ａの側面に穿設した透孔１ｆ内へ、脱着自在に挿入させて上記腰座２が上下動するさいの摺動範囲が制限されるようになすのであり、即ち図示例では摺動部材２ｂの側方へ突出させた突板ｐがその上下動の上限と下限で、上記係止ピン４と係合することにより行われる。また、５は副弾撥部材のスプリングであって、図示例では上記突板ｐと対応する摺動部材２ｂの反対側方に設けた止め金具ｍとその上方肘掛け板の裏面側止め金具ｎ間を牽引状態に弾撥させたものとなしてある。
【００１４】
而して、上記腰座の裏面側の主弾撥部材と副弾撥部材の関係は、前者が主で後者が従であって、即ち前者のスプリング３は着座者の体重より凡そ１割〜３割程度の少ない弾撥力作用のものを使用するのである。このようにして副弾撥部材を使用するものでは一般的な標準体重（例えば４０ｋｇ〜６０ｋｇ）の人を基本にすると、その前後の凡そ１割〜３割程度の体重を該副弾撥部材５の使用でバランス良く対応できるのであり、該弾撥力の異なるものを数種類（例えば５ｋｇ、７ｋｇ、１０ｋｇ、１２ｋｇ、１５ｋｇなどの如く）用意し、各種の体重に応じて適宜取換えて使用するのである。これらは左右の肘掛け下部へ取付けるものとなすのであり、且つこれら副弾撥部材は主スプリング３の下降力と逆向する反力作用として作用するのであり、従って該副部材スプリング５は立ち上がり時に腰が自然に持上げられるようにする浮き上がり感を奏せしめるのである。
【００１５】
図４Ａ，Ｂは使用状態図であって、Ａは腰を掛けようとする状態を、Ｂは腰を掛けた状態を示す。
【実施例２】
【００１６】
上記実施例では主スプリング３を腰座裏面の中央部と繋ぎ板１ｅとの間に介在させたものについて示したが、図５は他の例を示すものであって、本例では支脚１Ａ，１Ｂの各分割支脚１ａ，１ａ（１ｂ，１ｂ）間に介在させて使用するものである。
即ち本例では摺動部材を断面コ字状の内箱６ａとこの外周を摺動する外箱６ｂとから構成すると共に、内箱６ａ内にはスプリング３’を介在させ、該スプリング３’を腰座２の裏面側から外方へ突出させた板材２ａが下方へ向けて押圧する状態となすのである。なお、このさい外箱６ｂは腰座２へ取付けたものとなされるのであり、その作用及び効果は実施例１と同様である。なお、各図面で７は腰座２が上下動するさい、その上下動位置を一時的に特定位置へ固定させるさいに使用する摘みである。
【００１７】
上記例では実施例１のスプリング３を支脚１Ａ，１Ｂの側へ移動させたことから、外方から見えないものにする特徴がある。
【図面の簡単な説明】
【００１８】
【図１】本発明に係る立ち上がり補助椅子の基台を示す斜視図である。
【図２】同腰座の斜視図である。
【図３】上記の組立斜視図である。
【図４】Ａ，Ｂは使用状態図である。
【図５】他の例を示す斜視図である。
【符号の説明】
【００１９】
１      基台
１Ａ，１Ｂ    支脚
２      腰座
３      弾撥部材
４      係止ピン
５      副弾撥部材
【図１】
2005131091.tif 000003
【図２】
2005131091.tif 000004
【図３】
2005131091.tif 000005
【図４】
2005131091.tif 000006
【図５】
2005131091.tif 000007